(57)【要約】【課題】そのセグメントを発泡ポリエチレン、ウレタン等の弾性体で構成される幼児等の遊戯用サークルにおいてサークルの形成、が簡単に、しかも強固に行うことを目的とする。【解決手段】複数のセグメントを組み合わせて構成し、その内部には複数のセグメントを組み合わせて構成されるフロアーマット２を敷設した遊技用サークル１であって、各サークルセグメント１ａ，１ｂ，…の対応する端面下端部にはその長手方向に沿って夫々互いに係合する１又は２以上の第一溝６と１又は２以上の第一突起７を形成し、第一溝６と第一突起７を係合してサークルを形成するようにした遊戯用サークル。【選択図】        図１
2004254896.tif 000002
【特許請求の範囲】
【請求項１】
複数のセグメントを組み合わせて構成し、その内部には複数のセグメントを組み合わせて構成されるフロアーマットを敷設した遊技用サークルであって、上記各サークルセグメントの対応する端面下端部にはその長手方向に沿って夫々互いに係合する１又は２以上の第一溝と１又は２以上の第一突起を形成し、該第一溝と第一突起を係合してサークルを形成するようにしたことを特徴とする遊戯用サークル。
【請求項２】
上記各フロアーマットセグメントの対応する辺にはその長手方向に沿って夫々互いに係合する１又は２以上の第二溝と１又は２以上の第二突起を形成し、該第二溝と第二突起を係合してフロアーマットを形成するようにした請求項１記載の遊戯用サークル。
【請求項３】
フロアーマットの外周辺とこれに対応するサークル内壁下端部にはその長手方向に沿って夫々互いに係合する１又は２以上の第三溝と１又は２以上の第三突起を形成し、該第三溝と第三突起を係合してフロアーマットをサークル内壁に結合するようにした請求項１又は２記載の遊戯用サークル。
【請求項４】
上記フロアーマットセグメント上に一体的に遊具を設けた請求項１又は２又は３記載の遊戯用サークル。
【発明の詳細な説明】
【０００１】
【発明が属する技術分野】
この発明は、保育所、デパート等に設置される幼児等の遊戯用サークルに関するものである。
【０００２】
【従来の技術】
複数のセグメントを組み合わせて構成し、その内部には複数のセグメントを組み合わせて構成されるフロアーマットを敷設した遊技用サークルが幼児の集まる保育所、デパート等に設置されている。
【０００３】
これらの遊戯用サークルは、従来鉄パイプ、木等で形成された剛体サークルが知られているが、これは乳幼児が強く接触すると、痛みを伴う等の難点がある。
【０００４】
これを解消するため、剛体サークルの内側に緩衝シートを取付けることが提案されており（特開２０００−６０６８９公報）、また剛体サークルに対してサークルセグメント自体を発泡ポリエチレン、ウレタン等の弾性材質で構成することも行われている。
【０００５】
【発明が解決しようとする課題】
しかし、サークルセグメント自体を発泡ポリエチレン、ウレタン等の弾性材質で構成する場合にはサークルの形成に際してはセグメントの対応する端面同士を接着テープ等で接合するなどの面倒な操作を必要とする。
【０００６】
また、この場合セグメント同士が強固に接合されず、強い衝撃によりサークルが崩壊することもある。
【０００７】
そこで、この発明ではセグメント同士が簡単に、しかも強固に結合してサークルを形成できるような遊戯用サークルを提供することを目的とする。
【０００８】
【課題を解決するための手段】
この発明は、上記実情に鑑み、複数のセグメントを組み合わせて構成し、その内部には複数のセグメントを組み合わせて構成されるフロアーマットを敷設した遊技用サークルであって、上記各サークルセグメントの対応する端面下端部にはその長手方向に沿って夫々互いに係合する１又は２以上の第一溝と１又は２以上の第一突起を形成し、該第一溝と第一突起を係合してサークルを形成するようにした遊戯用サークルを提案するものである。
【０００９】
【発明の実施の形態】
即ち、この発明では各サークルセグメントの対応する端面下端部に形成された第一溝と第一突起を係合して端面同士を結合して簡単にサークルを形成することができ、しかも端面下端部に形成された第一溝と第一突起の係合により端面同士が強固に結合されるため、強い衝撃を受けてもサークルが崩壊することもない。
【００１０】
また、各フロアーマットセグメントの対応する辺には夫々互いに係合する第二溝と第二突起を交互に列設し、該第二溝と第二突起を係合すれば、フロアーマットが簡単に、しかも強固に形成することができる。
【００１１】
フロアーマットの外周辺とこれに対応するサークル内壁下端部には夫々互いに係合する第三溝と第三突起を交互に列設し、該第三溝と第三突起を係合すれば、フロアーマットをサークル内壁に簡単に、しかも強固に結合することができる。
【００１２】
なお、遊戯用サークル内には幼児等の遊具として滑り台、乗物等の遊具が配置されていることがあるが、フロアーマットセグメント上にこれらの遊具を一体的に遊具を設ければ、遊具が移動したり、転倒することもなく、幼児等はこれらに乗って安心して遊ぶことができる。
【００１３】
【実施例】
以下、この発明を図示の実施例に基づいて詳細に説明すると、１ａ，１ｂ，…は発泡ポリエチレンを材質としたサークルセグメント、２ａ，２ｂ，…は発泡ポリエチレンを材質としたフロアーマットセグメント、３ａ，３ｂ，…はその上面に汽車４ａ，４ｂ、スロープ５等の遊具を一体的に形成したフロアーマットセグメントであり、サークルセグメント１ａ，１ｂ，…は対応する端面を組み合わせてサークル１を形成し、フロアーマットセグメント２ａ，２ｂ，…、３ａ，３ｂ，…は辺を組み合わせてサークル１内に敷設されるフロアーマット２を形成する。
【００１４】
サークルセグメント１ａ，１ｂ，…の対応する端面下端部には夫々その長手方向に沿って複数の第一溝６，…と、これに係合する複数の第一突起７，…を形成する。
【００１５】
また、フロアーマットセグメント２ａ，２ｂ，…，３ａ，３ｂ，…の対応する辺には夫々その長手方向に沿って複数の第二溝８，…と、これに係合する第二突起９，…を形成する。
【００１６】
更に、フロアーマット２の外周辺とこれに対応するサークル１の内壁下端部には夫々その長手方向に沿って複数の第三溝１０，…と、これに係合する第三突起１１，…を形成する。
【００１７】
以上の構成において、サークルセグメント１ａ，１ｂ，…の対応する端面下端部に形成された第一溝６，…と第一突起７，…を係合して端面同士を結合してサークル１を形成する。
【００１８】
また、フロアーマットセグメント２ａ，２ｂ，…の対応する辺に形成された第二溝８，…と第二突起９，…を係合してサークル１内に敷設するフロアーマット２を形成する。
【００１９】
サークル１内に敷設されたフロアーマット２の外周辺とこれに対応するサークル１の内壁下端部に形成された第三溝１０，…と第三突起１１，…を係合してフロアーマット２をサークル１の内壁下端部に結合させる。
【００２０】
即ち、この発明では第一溝６，…と第一突起７，…の係合、第二溝８，…と第二突起９，…の係合、第三溝１０，…と第三突起１１，…の係合によってサークル１の形成、フロアーマット２の形成、フロアーマット２とサークル１の内壁下端部との結合が簡単に、しかも強固に行うことができる。
【００２１】
なお、この実施例では第一溝６，…、第二溝８，…、第三溝１０，…を蟻溝とし、第一突起７，…、第二突起９，…、第三突起１１，…をこの嵌合突起とすることによりサークル１の形成、フロアーマット２の形成、フロアーマット２とサークル１の内壁下端部との結合をより強固に行うようにしている。
【００２２】
また、この実施例では形成されるフロアーマット２中に組込まれたフロアーマットセグメント３ａ，３ｂ，３ｃ，…には汽車４ａ，４ｂ、スロープ５を一体的に設けられているため、これらの遊具が移動したり、転倒することもなく、幼児等はこれらに乗って安心して遊ぶことができる。
【００２３】
【発明の効果】
以上要するに、この発明によればそのセグメントを発泡ポリエチレン、ウレタン等の弾性体で構成される幼児等の遊戯用サークルにおいてサークルの形成、フロアーマットの形成、フロアーマットとサークルの内壁下端部との結合が簡単に、しかも強固に行うことができる。
【図面の簡単な説明】
【図１】この発明の一実施例を示す斜視図
【図２】同上の実施例における左下隅部の拡大斜視図
【図３】同上の分解斜視図
【図４】同上の左下隅部の拡大平面図
【図５】同上の分解平面図
【符号の説明】
１はサークル
１ａ，１ｂ，…はサークルセグメント
２はフロアーマット
２ａ，２ｂ，…はフロアーマットセグメント
３ａ，３ｂ，３ｃ…は他のフロアーマットセグメント
４ａ，４ｂは汽車
５はスロープ
６，…は第一溝
７，…は第一突起
８，…は第二溝
９，…は第二突起
１０，…は第三溝
１１，…は第三突起
【図１】
2004254896.tif 000003
【図２】
2004254896.tif 000004
【図３】
2004254896.tif 000005
【図４】
2004254896.tif 000006
【図５】
2004254896.tif 000007